(57)【特許請求の範囲】
【請求項１】
複数のディジタル音響機器からそれぞれ供給されるディジタル入力信号を当該ディジタル入力信号に含まれる同期クロックに基づいてそれぞれ受信し、基準クロックで動作するディジタル処理回路に供給してディジタル処理するディジタル音響処理装置であって、
供給される前記ディジタル入力信号から位相同期ループによって前記同期クロックを検出すると共に前記位相同期ループがロック状態となったかどうかを示すロックフラグを出力する位相同期ループ部と、前記同期クロックと前記基準クロックとが同期しているかどうかを示す同期フラグを出力する同期検出部とを有して前記ディジタル入力信号をそれぞれ受信する複数の受信回路と、
内部クロックを発生する内部クロック回路と、
前記各受信回路で検出された複数の同期クロック及び前記内部クロック回路で発生した前記内部クロックから１つのクロックを選択し、前記基準クロックとして出力する切替手段と、
前記各受信回路から出力されるロックフラグ及び同期フラグに基づいて、前記各受信回路が受信している前記ディジタル入力信号が、入力不可能なディジタル入力信号、ディジタル処理回路で処理不可能なディジタル入力信号、又はディジタル処理回路で処理可能なディジタル入力信号のうちいずれの状態であるかを認識する制御手段と、
この制御手段での認識結果を表示する表示手段と
を備えたことを特徴とするディジタル音響処理装置。
【請求項２】
前記切替手段は、ユーザのクロック選択操作に応じて前記クロックを選択することを特徴とする請求項１記載のディジタル音響処理装置。
【請求項３】
前記制御手段は、前記切替手段を制御して前記基準クロックとして選択するクロックを順次切替させると共に、選択された各クロック毎に前記各ディジタル入力信号の前記状態を認識し、処理可能となるディジタル入力信号の数が最も多くなるクロックを判定して、当該クロックを前記切替手段が前記基準クロックとして選択するクロックに設定するか、又は、前記切替手段で選択すべきクロックとしてユーザに提示する
ことを特徴とする請求項１記載のディジタル音響処理装置。
【発明の詳細な説明】
【０００１】
【産業上の利用分野】
この発明は、複数のディジタル音響機器からそれぞれ供給されるディジタル信号を入力してディジタル処理回路でミキシング等のディジタル処理を実行するディジタル音響処理装置に関する。
【０００２】
【従来の技術】
ディジタル信号処理回路の進歩に伴って、各種音響機器のディジタル化が進んでいる。複数のディジタル音響信号をミキシングするディジタルミキサでは、うまくシステムを構築しないと入力される複数のディジタル入力信号のサンプリングレートがまちまちになる場合がある。このため、ディジタル音響システムを構築する場合、システムエンジニアやそのシステムの使用者が各ディジタル音響機器のクロック系を十分に理解してシステムのクロック系がすべて同期するようパラメータを設定する必要がある。例えばミキサに内蔵されるＤＳＰ（ディジタル・シグナル・プロセッサ）の基準クロックと、入力されるディジタル入力信号の同期クロックとが同期していない場合、ＤＳＰでのデータ処理において、データの欠落・補間が発生し、正しいデータ処理を行うことができない。
【０００３】
【発明が解決しようとする課題】
そこで、ディジタル音響機器からのディジタルデータのビットレートを変換するサンプリングレートコンバータを用いてディジタル音響システムを構築するこも考えられるが、この場合には、システム自体が大掛かりになるうえ現時点では高価なので、一般のユーザにはシステム構築が難しいという問題がある。
【０００４】
この発明は、このような問題点に鑑みされたもので、クロック系を十分に理解していないユーザにとっても最適なディジタル音響システムを容易に構築することが可能なディジタル音響処理装置を提供することを目的とする。
【０００５】
【課題を解決するための手段】
この発明のディジタル音響処理装置は、複数のディジタル音響機器からそれぞれ供給されるディジタル入力信号を当該ディジタル入力信号に含まれる同期クロックに基づいてそれぞれ受信し、基準クロックで動作するディジタル処理回路に供給してディジタル処理するディジタル音響処理装置であって、供給される前記ディジタル入力信号から位相同期ループによって前記同期クロックを検出すると共に前記位相同期ループがロック状態となったかどうかを示すロックフラグを出力する位相同期ループ部と、前記同期クロックと前記基準クロックとが同期しているかどうかを示す同期フラグを出力する同期検出部とを有して前記ディジタル入力信号をそれぞれ受信する複数の受信回路と、内部クロックを発生する内部クロック回路と、前記各受信回路で検出された複数の同期クロック及び前記内部クロック回路で発生した前記内部クロックから１つのクロックを選択し、前記基準クロックとして出力する切替手段と、前記各受信回路から出力されるロックフラグ及び同期フラグに基づいて、前記各受信回路が受信している前記ディジタル入力信号が、入力不可能なディジタル入力信号、ディジタル処理回路で処理不可能なディジタル入力信号、又はディジタル処理回路で処理可能なディジタル入力信号のうちいずれの状態であるかを認識する制御手段と、この制御手段での認識結果を表示する表示手段とを備えたことを特徴とする。
【０００６】
この発明のより好ましい態様は、前記各受信回路で検出された複数の同期クロック及び内部クロックから１つのクロックを選択し前記基準クロックとして出力する切替手段を備え、前記制御手段が、前記切替手段を切替制御するものであることを特徴とする。
【０００７】
【作用】
この発明によれば、各ディジタル音響機器からのディジタル入力信号をそれぞれ受信する受信回路で、位相同期ループがロックしたかどうか、及び検出された同期クロックと基準クロックとが同期しているかどうかを検出し、その検出結果としてロックフラグ及び同期フラグをそれぞれ出力し、制御手段が、これらのフラグを参照して各ディジタル入力信号について、入力不可能、処理不可能及び処理可能の判断を下し、その結果を表示装置に表示するようにしている。このため、ユーザは、システム全体の中で、どのディジタル音響機器が入力不可能又は処理不可能であるかを一目で把握することができる。従って、入力不可能又は処理不可能なディジタル音響機器について、それを使用不可としたり、クロックのレート切替が可能な場合には、それを切り替えるといった処置をとることができ、最適なシステム構築が容易に行えるようになる。
【０００８】
また、各受信回路で検出された複数の同期クロック及び内部クロックを繰り替えて、これらをディジタル処理回路の基準クロックとして供給可能に構成することにより、ユーザは、単に入力不可及び処理不可のディジタル音響機器を知り得るだけでなく、基準クロックを種々切り替えて、最も多くのディジタル音響機器が処理可能な最適状態が得られる基準クロックを見つけ出すことができる。これにより、最適システムの構築が更に容易になる。
【０００９】
【実施例】
以下、図面を参照して、この発明の実施例について説明する。
図１は、この発明の一実施例に係るディジタルミキサの構成を示すブロック図である。
【００１０】
複数のディジタル音響機器から供給されるディジタル入力信号ＤＩ1 ，ＤＩ2 ，…，ＤＩn は、入力段に設けられた複数の受信回路１1 ，１2 ，…，１n にそれぞれ入力されている。受信回路１1 〜１n は、同期クロックＣＫs1，ＣＫs2，…，ＣＫsnを検出するＰＬＬ（位相同期ループ）回路２と、このＰＬＬ回路２で検出された同期クロックＣＫs1〜ＣＫsnでディジタル音声信号をサンプリングするサンプリング回路（ＳＭＰ）３と、検出された同期クロックＣＫs1〜ＣＫsnと後述する基準クロックＣＫ0 とが同期しているかどうかを検出する同期検出回路（ＤＥＴ）４とを備えている。
【００１１】
ディジタル入力信号ＤＩ1 〜ＤＩn には、ディジタル音声信号と同期クロックとが分離された形態、合成された形態の２種類が考えられるが、いずれの形態であっても、ＰＬＬ回路２で同期クロックＣＫs1〜ＣＫsnが抽出される。また、ＰＬＬ回路２は、内部の図示しない位相比較器の積分出力等に基づいてロック状態となったかどうかを示すロックフラグｆL1，ｆL2，…，ｆLnを出力する。サンプリング回路４でサンプリングされたディジタル入力信号ＤＩ1 〜ＤＩn は、図示しないＤＳＰに供給される。また、同期検出回路４は、同期クロックＣＫs1〜ＣＫsnと基準クロックＣＫ0 とが同期したかどうかを示す同期フラグｆs1，ｆs2，…，ｆsnを出力する。
【００１２】
一方、同期クロックＣＫs1〜ＣＫsnは、切替回路５の各入力端に供給されている。この切替回路５の他の３つの入力端には、内部クロック発生回路（ＩＮＴＣＫＡ，ＩＮＴＣＫＢ）６，７からの内部クロックＣＫI1，ＣＫI2およびＷＣＩＮからのクロックＣＫW がそれぞれ与えられている。切替回路５の出力は、ジッタ除去等の安定化を目的としたマスタＰＬＬ回路８を介して基準クロックＣＫ0 となり、受信回路１1 〜１n の各同期検出回路４に供給される。
【００１３】
受信回路１1 〜１n から出力されるロックフラグｆL1〜ｆLn及び同期フラグｆs1〜ｆsnは、ＣＰＵ１０に入力される。ＣＰＵ１０は、これらのフラグに基づいて、各ディジタル入力信号ＤＩ1 〜ＤＩn について、入力不可、ＤＳＰでの処理不可及び処理可能の３つのうちのいずれであるかを判断する。この判断結果は、表示装置（ＤＩＳＰ）１１に表示される。また、ＣＰＵ１０は、自らの内部処理又は操作スイッチ（ＳＷ）１２からの操作に基づいて、切替回路５を制御して基準クロックＣＫ0 を切り替える。
【００１４】
図２に、同期検出回路４の具体的構成例を示す。
同期クロックＣＫsi及び基準クロックＣＫ0 には、それぞれビットクロックとこれを例えば６４分周したワードクロックとが含まれる。そこで、同期クロックＣＫsiのビットクロックを、基準クロックＣＫ0 のワードクロックの１周期分の時間だけゲート２１を介してカウンタ２２のクロック信号として供給する。カウンタ２２の出力と、レジスタ２３に格納された値“６４”とを比較器（ＣＭＰ）２４で比較して、両者が一致していれば同期フラグｆsiは“１”、両者が一致していなければ同期フラグｆsiは“０”とすれば良い。これにより、同期クロックＣＫsiに多少のジッタを含んでいても、全てのデータを欠落・補間を生じることなくＤＳＰに供給できるかどうかという観点で、同期・非同期を判断することができる。
【００１５】
次に、このように構成されたディジタルミキサの動作について説明する。
図３は、ＣＰＵ１０におけるディジタル入力信号の評価処理を示すフローチャートである。
この処理を起動すると、ＣＰＵ１０は、まず１番目のディジタル入力信号ＤＩ1 を受信した受信回路１1 からのロックフラグｆL1が“０”かどうかを判定する（Ｓ１，Ｓ２）。もし、ロックフラグｆL1が“０”であったら、データ受信不可又はシステム構成不可能であるとして、その旨を表示装置１１に表示する（Ｓ３）。ロックフラグｆL1が“１”である場合には、次に同期フラグｆs1が“０”であるかどうかを参照する（Ｓ４）。同期フラグｆs1が“０”の場合には、データの受信は可能であるが同期不可であるため、ＤＳＰでの処理ができない旨を表示装置１１に表示する（Ｓ５）。同期フラグｆs1が“１”の場合には、同期可能である旨を表示装置１１に表示する（Ｓ６）。以上の処理をｎ番目のディジタル入力信号ＤＩn まで繰り返す（Ｓ７，Ｓ８）。
【００１６】
図４は、表示装置１１における表示形態の一例を示す図である。
画面３１上には、このディジタルミキサに接続されているマイク、テープ等のディジタル音響機器をイメージしたアイコン３２と、内部クロックをイメージしたアイコン３３とが表示される。ここで、反転表示されたアイコン３３ａは、現在、ユーザがＤＳＰに与える基準クロックとして選択したクロックに対応するアイコンで、その周波数は、右下のエリア３４に、例えば「４４．１ｋ」のように表示される。
【００１７】
この基準クロックに対して、同期しているディジタル音響機器のアイコンは、そのまま表示される（以下「  」と示す）が、非同期になっているディジタル音響機器のアイコンには、「／」が付加されている。また、入力が無い状態であるか、又は入力不可能である、即ちＰＬＬ回路２がロック不可能であるディジタル音響機器のアイコンには「×」が付加されている。なお、「  」および、「／」はその同期クロックを基準クロックとして選択できる可能性をも同時に示している。
【００１８】
例えば、図示の例では、ＭＩＣ１／２，ＭＩＣ７／８，ＴＡＰＥ５／６は、システム構成不可を示しているので、システムから除外するか、ユーザーが必要とするならＭＩＣ１／２，ＭＩＣ７／８，ＴＡＰＥ５／６に接続された機器をシステムとして構成できるよう処理する必要があるため、ＣＰＵ１０は、メッセージ表示エリア３５に、「ＭＩＣ１／２，ＭＩＣ７／８，ＴＡＰＥ５／６には、なにも接続されていないか、入力不可の機器が接続されているので、必要であれば接続の確認および接続機器の状態確認等を行って下さい。」等のメッセージを表示させるようにしてもよい。
これは、ユーザーが指示に従って適切な処置を行えば、ＭＩＣ１／２，ＭＩＣ７／８，ＴＡＰＥ５／６のアイコン表示は「×」のまま、もしくは、それぞれ「／」または「  」に変わるので、ユーザーが要求するシステムに必要な機器すべての出力が本機で受信可能となる状態に誘導できることを示唆している。
【００１９】
次に、「×」はユーザーがシステム構成に必要としなかった入力であるから無視して、「／」の入力、例えば２ＴｒＤ１，２ＴｒＤ２に接続された機器の同期をとれば、同期システムが完成することになる。そこで、この場合ＣＰＵ１０はメッセージ表示エリア３５に、「２ＴｒＤ１，２ＴｒＤ２には、同期していない機器が接続されているので、接続機器側を同期がとれるように設定して下さい。」等のメッセージを表示させるようにしてもよい。
ユーザーが指示に従って適切な処置を行えば、２ＴｒＤ１，２ＴｒＤ２のアイコン表示はそれぞれ「／」のまま、または、「  」に変わる。
【００２０】
ここで２ＴｒＤ１，２ＴｒＤ２のアイコン表示が共に「  」になればユーザーが要求するシステムは完成となるし、どちらか一方が「／」になったのであれば、「／」になった入力の同期クロックを基準クロックとして選択すれば、ユーザーが要求するシステムが完成となるので、例えばＣＰＵ１０は、メッセージ表示エリア３５に「２ＴｒＤ１の同期クロックを基準クロックとして選択して下さい。」等のメッセージを表示させるようにしてもよい。
【００２１】
また、どちらとも「／」になった場合、それは、その入力に接続されている機器が、それぞれ自分自身のクロックでしか動作できない機器であることになるので、例えばＣＰＵ１０は、メッセージ表示エリア３５に、「２ＴｒＤ１，２ＴｒＤ２には、それぞれ単独のクロックでしか動作できない機器が接続されているので、この２つの機器を含む同期システムを作ることはできません。どちらか一方をシステムから除外して下さい。」等のメッセージを表示させるようにしてもよい。
【００２２】
このようなユーザ誘導により、例えば２ＴｒＤ１の同期クロックを基準クロックとする同期システムが構成されたが、前述した通り基準クロックとして選択できる可能性のある入力はいくつかあるので、例えば、ＴＡＰＥ１／２の同期クロツクを基準クロックとする同期システムが組める可能性もある。
以上のような手法で、ユーザーを、対話形式により、要求する同期システムに誘導することができる。
【００２３】
なお、以上はユーザが基準クロックを選択する場合について説明したが、例えばＣＰＵ１０が、ＷＣＩＮ，ＩＮＴ４４．１，ＩＮＴ４８，さらにはロックしている各入力の同期クロックを、この順に基準クロックとして順次選択していき、各基準クロックごとに各入力の同期状態を記憶しておき、最後に、記憶された状態の中で同期状態の機器が最も多い基準クロックを自動選択又はユーザに提示するようにしても良い。
【００２４】
【発明の効果】
以上述べたように、この発明によれば、各ディジタル音響機器からのディジタル入力信号をそれぞれ受信する受信回路で、位相同期ループがロックしたかどうか、及び検出された同期クロックと基準クロックとが同期しているかどうかを検出し、これらの検出結果に応じて制御手段が、各ディジタル入力信号について、入力不可能、処理不可能及び処理可能の判断を下し、その結果を表示装置に表示するようにしているので、ユーザは、システム全体の中で、どのディジタル音響機器が入力不可能又は処理不可能であるかを一目で把握することができ、最適なシステム構築が容易に行えるという効果を奏する。
【図面の簡単な説明】
【図１】  この発明の一実施例に係るディジタルミキサのブロック図である。
【図２】  同ディジタルミキサにおける同期検出回路のブロック図である。
【図３】  同ディジタルミキサのＣＰＵの動作フローチャートである。
【図４】  同ディジタルミキサの表示画面を示す図である。
【符号の説明】
１1 〜１n …受信回路、２…ＰＬＬ回路、３…サンプリング回路、４…同期検出化回路、５…切替回路、６，７…内部クロック発生回路、８…マスタＰＬＬ回路、１０…ＣＰＵ、１１…表示装置、１２…操作スイッチ。
【図１】
0003760483.tif 000002
【図２】
0003760483.tif 000003
【図４】
0003760483.tif 000004
【図３】
0003760483.tif 000005